(57)【特許請求の範囲】
【請求項１】
一対の挟持部材の各々が開口面を有するケースに収納され、その開口面同士を合体させてケース同士を閉成したとき、その一対の挟持部材の各挟持面が対向し、その一方の挟持面に配した研磨部材と、他方の挟持面との間に遊技球を挟持し、その挟持した遊技球を一端から他端に向けて搬送すると共に、その搬送時に研磨部材で遊技球を研磨するようにした遊技球研磨搬送装置において、
上記ケースは、本体側ケースと、この本体側ケースの前面開口を覆うカバー側ケースとからなり、
上記本体側ケースと上記カバー側ケースとは、幅方向一方の蝶番によって開閉可能に支承してあるとともに、幅方向他方の係止手段によって閉成した状態に保持され、
上記本体側ケースと上記カバー側ケース同士の閉成によって、一方のケースの開口側の幅方向両縁部に有する固定用部材と他方のケースの開口側の幅方向両縁部との間で、あるいは双方のケースの開口側の幅方向両縁部に有する固定用部材同士の間で研磨部材を固定する研磨部材固定手段を設けた、
ことを特徴とする遊技球研磨搬送装置。
【請求項２】
上記研磨部材固定手段は、
上記本体側ケースと上記カバー側ケース同士の閉成により、一方のケースの開口側の幅方向両縁部に有する弾性体からなる突条体と、他方のケースの開口側の幅方向両縁部との間で研磨部材を固定する、
請求項１に記載の遊技球研磨搬送装置。
【請求項３】
上記研磨部材固定手段は、
上記本体側ケースと上記カバー側ケース同士の閉成により、本体側ケースの開口側の幅方向両縁部に有する弾性体からなる突条体と、カバー側ケースの開口側の幅方向両縁部に有する弾性体からなる突条体との間で研磨部材を固定する、
請求項１に記載の遊技球研磨搬送装置。
【請求項４】
上記研磨部材固定手段は、
上記本体側ケースと上記カバー側ケース同士の閉成により、一方のケースの幅方向両縁部に有する突部と、他方のケースの幅方向両縁部に有する溝部との間で研磨部材を固定する、
請求項１に記載の遊技球研磨搬送装置。
【請求項５】
上記研磨部材固定手段は、
上記本体側ケースと上記カバー側ケース同士の閉成により、一方のケースの幅方向両縁部に有する突状の押止部と、他方のケースの幅方向両縁部に有する少なくとも一対の突出物との間で研磨部材を固定する、
請求項１に記載の遊技球研磨搬送装置。
【発明の詳細な説明】
【０００１】
【発明の属する技術分野】
この発明は、一対の挟持部材の各々が開口面を有するケースに収納され、その開口面同士を合体させてケース同士を閉成したとき、その一対の挟持部材の各挟持面が対向し、その一方の挟持面に配した研磨部材と、他方の挟持面との間に遊技球を挟持し、その挟持した遊技球を一端から他端に向けて搬送すると共に、その搬送時に研磨部材で遊技球を研磨するようにした遊技球研磨搬送装置に関するものである。
【０００２】
【従来の技術】
図１１、図１２および図１３は従来の遊技球研磨搬送装置の構成例を示し、図１１は装置下半側の斜視図、図１２は装置下半側の横断面図、図１３は装置下半側の開閉状態を示し、（ａ）は開成状態を、（ｂ）は閉成状態をそれぞれ示す説明図である。これらの図において、従来の遊技球研磨搬送装置１００Ａは、装置本体側ケース１０１と蓋側ケース１０２とを有し、蓋側ケース１０２は装置本体側ケース１０１に対して、蝶番１５５によって開閉可能に支承してあるとともに、係止手段１６０によって閉成した状態に保持される。そして、この遊技球研磨搬送装置１００Ａは、装置本体側ケース１０１と蓋側ケース１０２とを閉成したときに、装置本体側ケース１０１に設けた揚送ベルト１１０と、蓋側ケース１０２に設けた支持部材１２０の、揚送ベルト１１０に対向する面に支持された研磨布１５０との間にパチンコ玉Ｂを挟持させ、該揚送ベルト１１０を駆動することによってパチンコ玉Ｂの揚送を行うようにしたものである。揚送ベルト１１０は、研磨布１５０に対向する挟持面が平坦の無端環状を成すもので、上下の回転ローラ（図示せず）間に巻き掛けてある。支持部材１２０は、揚送ベルト１１０に対向する支持面に、上下方向に沿って直線状に延在する複数列の凹部溝１２１を有しているとともに、これら複数列の凹部溝１２１が研磨布１５０によって覆ってある。
【０００３】
上記従来の遊技球研磨搬送装置１００Ａによれば、揚送ベルト１１０が走行すると、研磨布１５０との間に挟持されたパチンコ玉Ｂが凹部溝１２１に沿って案内され、適宜転動しながら所望の高さ位置まで揚送されることになる。この間、パチンコ玉Ｂが研磨布１５０に対して摺接されることになり、その表面に付着した異物が研磨除去されるようになる。
【０００４】
そして、装置本体側ケース１０１と蓋側ケース１０２とを閉成したときに、研磨布１５０は、図１３に示すように、装置本体側ケース１０１の幅方向両縁部１０１ａ，１０１ａの各面と、それらに対向する蓋側ケース１０２の幅方向両縁部１０２ａ，１０２ａの各面との間に挟まれ、支持されるようになる。
【０００５】
【発明が解決しようとする課題】
しかし、上記従来の遊技球研磨搬送装置１００Ａのように、研磨布１５０を面と面との間に挟み込み、支持している程度では、その挟持力が小さく、パチンコ玉を搬送している間に研磨布１５０が図１３（ｂ）の矢印に示すような方向に引き込まれて緩み、その結果、図１４に示すように、装置内部でたるんでしまうことがあった。このような状態になると、揚送ベルト１１０がその研磨布１５０に接触して損傷を受け、削られる場合がある。また、研磨布１５０とパチンコ玉との接触圧が下がり、パチンコ玉の磨きが悪くなるという問題があった。特に、蝶番１５５側と係止手段１６０側とを比較すると、係止手段１６０側で挟持力が弱くなりやすく、したがって、係止手段１６０側の研磨布１５０が装置内部に引き込まれてたるみやすかった。
【０００６】
この発明は上記に鑑み提案されたもので、研磨布が装置内部に引き込まれてたるむことを確実に防止することができる遊技球研磨搬送装置を提供することを目的とする。
【０００７】
【課題を解決するための手段】
上記目的を達成するために、請求項１に記載の発明は、一対の挟持部材の各々が開口面を有するケースに収納され、その開口面同士を合体させてケース同士を閉成したとき、その一対の挟持部材の各挟持面が対向し、その一方の挟持面に配した研磨部材と、他方の挟持面との間に遊技球を挟持し、その挟持した遊技球を一端から他端に向けて搬送すると共に、その搬送時に研磨部材で遊技球を研磨するようにした遊技球研磨搬送装置において、上記ケースは、本体側ケースと、この本体側ケースの前面開口を覆うカバー側ケースとからなり、上記本体側ケースと上記カバー側ケースとは、幅方向一方の蝶番によって開閉可能に支承してあるとともに、幅方向他方の係止手段によって閉成した状態に保持され、上記本体側ケースと上記カバー側ケース同士の閉成によって、一方のケースの開口側の幅方向両縁部に有する固定用部材と他方のケースの開口側の幅方向両縁部との間で、あるいは双方のケースの開口側の幅方向両縁部に有する固定用部材同士の間で研磨部材を固定する研磨部材固定手段を設けた、ことを特徴としている。
【０００８】
また、請求項２に記載の発明は、上記した請求項１に記載の発明において、上記研磨部材固定手段は、上記本体側ケースと上記カバー側ケース同士の閉成により、一方のケースの開口側の幅方向両縁部に有する弾性体からなる突条体と、他方のケースの開口側の幅方向両縁部との間で研磨部材を固定する、ことを特徴としている。
【０００９】
また、請求項３に記載の発明は、上記した請求項１に記載の発明において、上記研磨部材固定手段は、上記本体側ケースと上記カバー側ケース同士の閉成により、本体側ケースの開口側の幅方向両縁部に有する弾性体からなる突条体と、カバー側ケースの開口側の幅方向両縁部に有する弾性体からなる突条体との間で研磨部材を固定する、ことを特徴としている。
【００１０】
また、請求項４に記載の発明は、上記した請求項１に記載の発明において、上記研磨部材固定手段は、上記本体側ケースと上記カバー側ケース同士の閉成により、一方のケースの幅方向両縁部に有する突部と、他方のケースの幅方向両縁部に有する溝部との間で研磨部材を固定する、ことを特徴としている。
【００１１】
また、請求項５に記載の発明は、上記した請求項１に記載の発明において、上記研磨部材固定手段は、上記本体側ケースと上記カバー側ケース同士の閉成により、一方のケースの幅方向両縁部に有する突状の押止部と、他方のケースの幅方向両縁部に有する少なくとも一対の突出物との間で研磨部材を固定する、ことを特徴としている。
【００１３】
【発明の実施の形態】
以下にこの発明の実施の形態を図面に基づいて詳細に説明する。先ず第１の実施形態を図１〜図５を用いて説明する。
【００１４】
図１は本発明に係る遊技球研磨搬送装置の外観形状を示す斜視図、図２は本装置を閉成した状態を示す断面側面図、図３は本装置の下半側の外観形状を示す斜視図、図４は図２のＩＶ−ＩＶ線断面図、図５は本装置下半側の開閉状態を示し、（ａ）は開成状態を、（ｂ）は閉成状態をそれぞれ示す説明図である。
【００１５】
ここで例示する遊技球研磨搬送装置１００は、図１に示すように、多数のパチンコ機Ｐを並設して構成した遊技島Ｓにおいて各パチンコ機Ｐから排出されたパチンコ玉Ｂを上部タンクＴに搬送するためのもので、鉛直上下方向に沿って延在する搬送ケース１０を備えている。
【００１６】
搬送ケース１０は、図２および図４に示すように、ベース１０Ａの上面に立設され横断面がコの字状を成す本体側ケース１１と、この本体側ケース１１の前面開口を覆う上部カバー１３および下部カバー（下部ケース）１４とを備えて構成したものである。上部カバー１３および下部カバー１４は、本体側ケース１１と同様に、それぞれが横断面コの字状を成すもので、本体側ケース１１の一方の側板１２との間に設けた蝶番１５によって開閉可能に支承してあるとともに、他方の側板１２との間に設けた係止手段１６によって閉成した状態に保持することが可能である。
【００１７】
この本体側ケース１１には、下端部に駆動ローラ１７を設けてあるとともに、上端部に従動ローラ１８を設けてある。駆動ローラ１７および従動ローラ１８は、相互に平行となる水平軸心回りに回転できるように、一対の側板１２の間に配設したものである。このうち、駆動ローラ１７には、その軸部の一端部にドリブンプーリ１９を設けてあり、電動機２０による回転力がドライブプーリ２１、駆動ベルト２２およびドリブンプーリ１９を介して伝達されるようになっている。
【００１８】
これら駆動ローラ１７および従動ローラ１８には、互いの間に搬送ベルト３０を巻き掛けてある。搬送ベルト３０は、例えばウレタン系の合成樹脂材によって無端環状に成形した帯状平ベルトであり、駆動ローラ１７と従動ローラ１８との間に張設してある。この搬送ベルト３０には、上述した上部カバー１３および下部カバー１４に対向する部分の内周面に複数のガイドローラ２３を当接させてある。このガイドローラ２３は、本体側ケース１１の側板１２，１２に支持部材（図示省略）を介して固定された、横断面がコの字状のフレーム３３に回転自在に支持されている。
【００１９】
また、本体側ケース１１の幅方向両縁部をなす開口側縁部（側板１２，１２の各端部）３４，３４は、図３および図４に示すように、それぞれ外側に折曲されて、上部カバー１３および下部カバー１４に対向する面が形成されており、この対向面の、下部カバー１４に対応する部分には、本発明に係る突条体３５が添着されている。この突条体３５は、例えば軟質塩ビやゴム等の弾性体からなる細長い平板状のもので、開口側縁部３４，３４に沿って鉛直上下方向に延在している。
【００２０】
一方、下部カバー１４には、搬送ベルト３０に対向する内面に、ゴムやスポンジ等の弾性体２４を介して案内部材４０を設けてある。案内部材４０は、例えばウレタンゴム系の合成樹脂材、つまり弾性体２４よりも硬質の合成樹脂材によって平板状に成形し、搬送ケース１０に沿って鉛直上下方向に延在するもので、搬送ベルト３０に対向する支持面４１に５本の案内溝４２を有している。それぞれの案内溝４２は、図４に示すように、パチンコ玉Ｂよりも僅かに大きな略半円形状の横断面を有し、案内部材４０の幅方向に沿って並設してある。
【００２１】
案内部材４０の支持面４１は、下部カバー１４の幅方向両縁部をなす開口側端面４３，４３と面一に設けられている。そして、研磨布（研磨部材）５０が、この面一の支持面４１と開口側端面４３，４３とを覆うように、鉛直上下方向にわたって敷設され、その下端側は、図１および図２に示すように、折り返されて締着部材４４に、また上端側も折り返されて締着部材４５に、それぞれ固定されている。そして、本体側ケース１１と下部カバー１４とを閉成したとき、下部カバー１４に収納の案内部材４０に形成した各案内溝４２は、研磨布５０で覆われた状態で、本体側ケース１１に収納の搬送ベルト３０の外周面（挟持面）３１に対して対向配置され、また下部カバー１４の開口側端面４３，４３も、研磨布５０で覆われた状態で、本体側ケース１１の開口側縁部３４，３４に設けた突条体３５，３５にそれぞれ対向配置される（図４，図５）。
【００２２】
さらに、上記遊技球研磨搬送装置１００には、図２に示すように、導入部材２５および導出部材２６を設けてある。
【００２３】
導入部材２５は、案内部材４０と同様にウレタンゴム系の合成樹脂材によって平板状に成形したもので、案内部材４０の下端から駆動ローラ１７の周囲を囲繞するように下方に延在した後、後方に向けて延在している。
【００２４】
導出部材２６は、案内部材４０の上端から搬送ベルト３０に沿って上方に延在した後、従動ローラ１８の周囲を囲繞するように延在し、さらに後方に向けて延在している。この導出部材２６も案内部材４０と同様にウレタンゴム系の合成樹脂材によって平板状に成形したもので、その下端部がゴムやスポンジ等の弾性体２７を介して上部カバー１３の内面に保持させてある。
【００２５】
上記のように構成した研磨搬送装置では、電動機２０を駆動すると、その回転力がドライブプーリ２１、駆動ベルト２２およびドリブンプーリ１９を介して適宜減速された後に駆動ローラ１７に伝達され、当該駆動ローラ１７が図２中において時計回りに回転することにより、駆動ローラ１７と従動ローラ１８との間に巻き掛けた搬送ベルト３０が同方向に循環走行する。
【００２６】
この状態においてパチンコ機Ｐから排出されたパチンコ玉Ｂが導入部材２５の始端上に達すると、当該パチンコ玉Ｂが導入部材２５と搬送ベルト３０との間に挟持された状態で適宜転動しながら搬送されることになり、研磨布５０と搬送ベルト３０との間および導出部材２６と搬送ベルト３０との間を経た後に、最終的に遊技島Ｓの上部タンクＴに揚送されることになる。すなわち、パチンコ玉Ｂは、本体側ケース１１に収納の挟持部材と、下部カバー１４に収納の挟持部材とに挟持されて上部タンクＴまで揚送される。
【００２７】
この間、研磨布５０と搬送ベルト３０との間においては、パチンコ玉Ｂが研磨布５０に摺接することになるため、当該パチンコ玉Ｂの表面に付着した異物が研磨除去される。
【００２８】
ここで、上記遊技球研磨搬送装置１００によれば、下部カバー１４を閉成したとき、図５（ｂ）に示すように、下部カバー１４の開口側端面４３，４３が、研磨布５０で覆われた状態で、本体側ケース１１の開口側縁部３４，３４に設けた突条体３５，３５に対向配置され、その開口側端面４３，４３と突条体３５，３５とが研磨布５０を介してそれぞれ当接し合着するので、研磨布５０は、開口側端面４３，４３と突条体３５，３５との間で強力に固定される。突条体３５は弾性体であるため、その固定はより一層強力となり、したがって、従来の、パチンコ玉を搬送している間に研磨布５０が装置内部に引き込まれる現象を確実に防止することができ、研磨布５０のたるみによる搬送ベルト３０の損傷も確実に防止することができる。さらに、研磨布５０はしっかりと固定されるので、研磨布５０とパチンコ玉との接触圧低下も発生せず、したがって、パチンコ玉の磨きが悪くなるというような問題をも確実に防止することができる。
【００２９】
次にこの発明の第２の実施形態を図６を用いて説明する。
【００３０】
図６は第２の実施形態における本装置下半側の開閉状態を示し、（ａ）は開成状態を、（ｂ）は閉成状態をそれぞれ示す説明図である。なお、この第２の実施形態において、上記の第１の実施形態と同一の構成要素には同一の符号を付し、その説明を省略する。
【００３１】
この第２の実施形態が、上記した第１の実施形態と相違する点は、本体側ケース１１のそれぞれ外側に折曲されている開口側縁部３４，３４に突条体３５，３５を設けただけでなく、下部カバー１４の開口側縁部をそれぞれ外側に折曲して折曲部４８，４８を形成し、その折曲部４８，４８に突条体４９，４９を設け、本体側ケース１１の突条体３５，３５に対応させた点である。
【００３２】
この構成を有する第２の実施形態では、下部カバー１４を閉成したとき、下部カバー１４の突条体４９，４９が、研磨布５０で覆われた状態で、本体側ケース１１の突条体３５，３５に押し付けられ、突条体４９，４９と突条体３５，３５とが研磨布５０を介して合着されるので、研磨布５０は、突条体４９，４９と突条体３５，３５との間で強力に固定される。したがって、上記第１の実施形態の場合と同様に、従来の、パチンコ玉を搬送している間に研磨布５０が装置内部に引き込まれる現象を確実に防止することができ、研磨布５０のたるみによる搬送ベルト３０の損傷も確実に防止することができる。さらに、研磨布５０はしっかりと固定されるので、研磨布５０とパチンコ玉との接触圧低下も発生せず、したがって、パチンコ玉の磨きが悪くなるというような問題をも確実に防止することができる。
【００３３】
次にこの発明の第３の実施形態を図７および図８を用いて説明する。
【００３４】
図７は第３の実施形態における本装置の下半側の外観形状を示す斜視図、図８は第３の実施形態における本装置下半側の開閉状態を示し、（ａ）は開成状態を、（ｂ）は閉成状態をそれぞれ示す説明図である。なお、この第３の実施形態において、上記の第１の実施形態と同一の構成要素には同一の符号を付し、その説明を省略する。
【００３５】
この第３の実施形態が、上記した第１の実施形態と相違する点は、本体側ケース１１のそれぞれ外側に折曲されている開口側縁部３４，３４に、鉛直上下方向に溝部３６を設けるとともに、下部ケース１４の開口側端面を案内部材４０の支持面４１より少し突出させ、鉛直上下方向に延在する突部４６として形成した点である。
【００３６】
この構成を有する第３の実施形態では、下部カバー１４を閉成したとき、下部カバー１４の突部４６，４６が、研磨布５０で覆われた状態で、本体側ケース１１の溝部３６，３６に対向配置され、その突部４６，４６が溝部３６，３６に嵌入し、突部４６，４６と溝部３６，３６とが研磨布５０を介してそれぞれ合着するので、研磨布５０は、突部４６，４６と溝部３６，３６との間で強力に固定される。したがって、従来の、パチンコ玉を搬送している間に研磨布５０が装置内部に引き込まれる現象を確実に防止することができ、研磨布５０のたるみによる搬送ベルト３０の損傷も確実に防止することができる。さらに、研磨布５０はしっかりと固定されるので、研磨布５０とパチンコ玉との接触圧低下も発生せず、したがって、パチンコ玉の磨きが悪くなるというような問題をも確実に防止することができる。
【００３７】
次にこの発明の第４の実施形態を図９および図１０を用いて説明する。
【００３８】
図９は第４の実施形態における本装置の下半側の外観形状を示す斜視図、図１０は第４の実施形態における本装置下半側の開閉状態を示し、（ａ）は開成状態を、（ｂ）は閉成状態をそれぞれ示す説明図である。なお、この第４の実施形態において、上記の第１の実施形態と同一の構成要素には同一の符号を付し、その説明を省略する。
【００３９】
この第４の実施形態が、上記した第１の実施形態と相違する点は、本体側ケース１１のそれぞれ外側に折曲されている開口側縁部３４，３４に、少なくとも横方向に一対（ここでは、複数対）の突出物３７，３７を設けるとともに、下部ケース１４の開口側端面を案内部材４０の支持面４１より少し突出させ、鉛直上下方向に延在する押止部４７、４７として形成した点である。
【００４０】
この構成を有する第４の実施形態では、下部カバー１４を閉成したとき、下部カバー１４の押止部４７が、研磨布５０で覆われた状態で、本体側ケース１１の一対の突出物３７，３７の間に嵌入し、押止部４７と一対の突出物３７，３７とが研磨布５０を介して合着し、研磨布５０は、押止部４７と一対の突出物３７，３７との間で強力に固定される。したがって、上記第１の実施形態の場合と同様に、従来の、パチンコ玉を搬送している間に研磨布５０が装置内部に引き込まれる現象を確実に防止することができ、研磨布５０のたるみによる搬送ベルト３０の損傷も確実に防止することができる。さらに、研磨布５０はしっかりと固定されるので、研磨布５０とパチンコ玉との接触圧低下も発生せず、したがって、パチンコ玉の磨きが悪くなるというような問題をも確実に防止することができる。
【００４１】
なお、上述した各実施の形態では、パチンコ機から排出されたパチンコ玉を遊技島の上部タンクに揚送するための遊技球研磨搬送装置を例示しているが、本発明はこれらに限定されない。例えば、遊技機で用いる遊技球であれば、パチンコ玉以外のものにも適用可能である。また、遊技球の搬送方向も上方である必要はなく、斜め方向や水平方向等々、任意の方向であっても、また本装置を適宜の姿勢で設置しても同様の作用効果を期待することが可能である。
【００４２】
また、上述した各実施の形態では、一方の挟持部材である案内部材に対して他方の挟持部材である搬送ベルトを走行させることによってパチンコ玉を搬送させるようにしているが、例えば、両挟持部材をいずれも固定し、下方から順次パチンコ玉を押し上げるようにしてパチンコ玉を搬送させるように構成することも可能である。
【００４３】
また、上述した各実施の形態では、案内部材にのみ案内溝を設けるようにしているが、案内溝を搬送ベルトにのみ設けたり、案内部材および搬送ベルトの双方に設けても構わない。なお、案内溝の数は、必ずしも５本である必要はなく、要求されるパチンコ玉の搬送能力に応じて適宜変更すればよい。
【００４４】
またさらに、上述した各実施の形態では、研磨部材を研磨布としたが、例えば合成皮革や不織布のようなものでもよい。
【００４５】
さらに、研磨部材固定手段の固定用部材として突条体や突部、溝部、突出物等の各種構成例を挙げて説明したが、本発明の研磨部材固定手段は、これらのものに限定されることなく、研磨部材を固定できる手段であればどのようなものでもよい。また、突条体や突部、溝部等の構成も、研磨部材を固定できるのであれば任意の形状のものでよい。例えば、突条体を鉛直方向に延在させたが、これを部分的に設けるようにしてもよく、また間隔を置いて複数設けるようにしてもよい。また、溝部も鉛直方向に延在させたが、これを部分的に設けるようにしてもよく、また間隔を置いて複数設けるようにしてもよい。
【００４６】
【発明の効果】
以上説明したように、本発明によれば、研磨部材が強力に固定されるように構成したので、従来の、遊技球を搬送している間に研磨部材が装置内部に引き込まれる現象を確実に防止することができ、研磨部材のたるみによる搬送ベルトの損傷も確実に防止することができる。さらに、研磨部材はしっかりと固定されるので、研磨部材と遊技球との接触圧低下も発生せず、したがって、遊技球の磨きが悪くなるというような問題をも確実に防止することができる。
【図面の簡単な説明】
【図１】本発明に係る遊技球研磨搬送装置の外観形状を示す斜視図である。
【図２】本装置を閉成した状態を示す断面側面図である。
【図３】本装置の下半側の外観形状を示す斜視図である。
【図４】図２のＩＶ−ＩＶ線断面図である。
【図５】本装置下半側の開閉状態を示し、（ａ）は開成状態を、（ｂ）は閉成状態をそれぞれ示す説明図である。
【図６】第２の実施形態における本装置下半側の開閉状態を示し、（ａ）は開成状態を、（ｂ）は閉成状態をそれぞれ示す説明図である。
【図７】第３の実施形態における本装置の下半側の外観形状を示す斜視図である。
【図８】第３の実施形態における本装置下半側の開閉状態を示し、（ａ）は開成状態を、（ｂ）は閉成状態をそれぞれ示す説明図である。
【図９】第４の実施形態における本装置の下半側の外観形状を示す斜視図である。
【図１０】第４の実施形態における本装置下半側の開閉状態を示し、（ａ）は開成状態を、（ｂ）は閉成状態をそれぞれ示す説明図である。
【図１１】従来の遊技球研磨搬送装置の下半側の構成例を示す斜視図である。
【図１２】従来の遊技球研磨搬送装置の下半側の横断面図である。
【図１３】従来の遊技球研磨搬送装置の下半側の開閉状態を示し、（ａ）は開成状態を、（ｂ）は閉成状態をそれぞれ示す説明図である。
【図１４】従来の遊技球研磨搬送装置における研磨布のたるみを説明するための図である。
【符号の説明】
１０      搬送ケース
１０Ａ    ベース
１１      本体側ケース
１２      本体側ケースの側板
１３      上部カバー
１４      下部カバー（下部ケース）
１５      蝶番
１６      係止手段
１７      駆動ローラ
１８      従動ローラ
１９      ドリブンプーリ
２０      電動機
２１      ドライブプーリ
２２      駆動ベルト
２３      ガイドローラ
２４      弾性体
２５      導入部材
２６      導出部材
２７      弾性体
３０      搬送ベルト
３１      搬送ベルトの外周面（挟持面）
３３      フレーム
３４      本体側ケースの開口側縁部
３５      突条体
３６      溝部
３７      突出物
４０      案内部材
４１      支持面
４２      案内溝
４３      下部カバーの開口側端面
４４      締着部材
４５      締着部材
４６      突部
４７      押止部
４８      折曲部（下部カバーの開口縁部）
４９      突条体
５０      研磨布
１００      遊技球研磨搬送装置
Ｂ      パチンコ玉
Ｐ      パチンコ機
Ｓ      遊技島
Ｔ      上部タンク
【図１】
0003898902.tif 000002
【図２】
0003898902.tif 000003
【図３】
0003898902.tif 000004
【図４】
0003898902.tif 000005
【図５】
0003898902.tif 000006
【図６】
0003898902.tif 000007
【図７】
0003898902.tif 000008
【図８】
0003898902.tif 000009
【図９】
0003898902.tif 000010
【図１０】
0003898902.tif 000011
【図１１】
0003898902.tif 000012
【図１２】
0003898902.tif 000013
【図１３】
0003898902.tif 000014
【図１４】
0003898902.tif 000015